(57)【特許請求の範囲】
【請求項１】
扱室（１）の下方に扱胴軸方向に揺動する揺動選別体（２）を装架して、扱室（１）からの扱卸物と処理胴室（３）により処理した２番物とを選別する下扱き方式の脱穀機において、処理胴室（３）をその処理胴（４）の軸（５）が扱胴軸と直交する状態にして揺動選別体（２）の始端部の下側に配置し、処理胴室（３）内の処理物を揺動選別体（２）のフィードパン（６）上に放出させ、扱室（１）から落下する扱卸物とともに前記フィードパン（６）に対し
、連続状に配置したチャフシーブ（１９）に受継がせ揺動選別をする構成にしたことを特徴とする脱穀機の２番物処理装置。
【請求項２】
揺動選別体（２）の始端がわを構成するフィ−ドパン（６）を分割して段違いにし、その段違いにより形成された空間（７）内を通して前記処理胴室（３）内の処理物を放出する構成にしたことを特徴とする請求項１．記載の脱穀機の２番物処理装置。
【発明の詳細な説明】
【０００１】
【発明の属する技術分野】
本発明は、扱室の下方に扱胴軸方向に揺動する揺動選別体を装架して、扱室からの扱卸物と２番物樋に回収された２番物を処理胴室により処理したものとを選別するところの脱穀機の２番物処理装置に関するものである。
【０００２】
【従来の技術】
従来、前記のように扱室からの扱卸物と２番物樋に回収された２番物を処理胴室により処理したものとを揺動選別体によって選別するものとしては、例えば、実開昭６０−１２１７３９号公報等により開示されている。また
、扱室の受け網直下に扱胴軸と直行する処理胴を配設して扱卸物と２番物の双方を再処理し、主選別風が吹き抜けるように選別風路内に突設させた構成にするとともに、処理室受け網の後方に揺動選別体を連設したものが実開平０２−１００４２４号公報に記載され、更に揺動選別体の始端がわ下方に圧風ファンをを設け
、揺動選別体の下方に張設したグレンシーブとチャフシーブとの間に選別風を送給する構成のものが実開平０３−５６３２４号に記載されている。
【０００３】
【発明が解決しようとする課題】
しかし、この同公報に開示されている２番物の処理装置の構成は、処理胴室が扱室にそって並設されているから、機体の幅員が大になり、また、処理胴室での処理物が扱胴軸方向に揺動する揺動選別体の側方から放出されて、揺動選別体上を揺動方向に移動するものと交錯してその移動を阻害し選別作用に悪影響を与えている。そこで、この発明は、このような従来の脱穀機が有しているところの問題点を解消するために創作されたもので、特定箇所を選定して処理胴室を配置することによって、機体幅を増大させることなくコンパクトなものにし、また、処理胴室で処理された処理物を揺動選別体上に放出させるのに揺動方向に放出させることによって、終端がわへの移動と分散均一を促進し選別能力を向上させるようにしたものである。
【０００４】
【課題を解決するための手段】
本発明は、上記のような２番物処理装置を提供するために、扱室の下方に扱胴軸方向に揺動する揺動選別体を装架して、扱室からの扱卸物と処理胴室により処理した２番物とを選別する下扱き方式の脱穀機において、処理胴室をその処理胴の軸が扱胴軸と直交する状態にして揺動選別体の始端部の下側に配置し、処理胴室内の処理物を揺動選別体のフィードパン上に放出させ、扱室から落下する扱卸物とともに前記フィードパンに対し、連続状に配置したチャフシーブに受継がせ揺動選別をする構成にしたことを特徴とするもので、揺動選別体の始端がわを構成するフィ−ドパンを分割して段違いにし、その段違いにより形成された空間内を通して前記処理胴室内の処理物を放出する構成にするとよい。
【０００５】
【作用】
これにより、扱室から落下する扱卸物は揺動選別体によって選別され、その選別により２番物樋に回収された２番物は揺動選別体の始端部の下側に配置した処理胴室に投入されて処理作用を受けるので機体はコンパクトになる。また、揺動選別体の始端がわを構成するフィ−ドパンを分割して段違いにし、その段違いにより形成された空間内を通して前記処理胴室内の処理物を揺動選別体上に放出するようにすれば、処理物は揺動選別体の揺動方向に放出されるところとなって終端がわへの移動と分散均一を促進して選別能力が増進するのでる。
【０００６】
【実施例】
以下、この発明について実施例図を参照し説明すると、この例図に示すものは自脱形のコンバインを組成するものであって、「図５」に示してあるように、走行機台（８）上の左側に脱穀機（Ａ）を搭載し右側に操縦部（９）とエンジンル−ム（１０）を上下にして設け、その後側に穀粒タンク（１１）を配設し、脱穀機（Ａ）の前方に刈取部（Ｂ）を後側に藁カッタ−（Ｃ）が連設されて、機体の前進により穀稈を刈取りその刈取穀稈を脱穀機（Ａ）に搬送して脱穀処理し脱穀済の排藁を後方に搬出して藁カッタ−（Ｃ）で細断し、脱穀処理後の穀粒は穀粒タンク（１１）に貯留したのち排出オ−ガ（１２）により適所に取出すようにしている。
【０００７】
脱穀機（Ａ）は扱室（１）と、この扱室（１）の終端部から送出されるものを処理する処理室（１３）と、扱胴軸方向に揺動し扱室（１）の下方から後方にかけて装架された揺動選別体（２）と、揺動選別体（２）の始端がわ下方に設置する唐箕ファン（１４）により起生する選別風を吹流させる等の構成から成り、フィ−ドチエン（１５）を左側にして搭載してある。なお、（１６）は１番物樋、（１７）は２番物樋、（１８）は吸引排塵用の横断流ファンである。
【０００８】
前記の揺動選別体（２）は始端がわからフィ−ドパン（６）とチャフシ−ブ（１９）とストロ−ラック（２０）が連続状に配設され、チャフシ−ブ（１９）の下方にはグレンシ−ブ（２１）が張設されて、これらが一体となって前記のように扱胴軸方向の前後に揺動可能に装架されている。
【０００９】
次に、この発明の要部とする部分について「図１」と「図２」により記載すると、（３）は周面に処理歯（２２）を植設して矢印（イ）方向に回転する処理胴（４）を内装した処理胴室で、その処理胴（４）の軸（５）を扱胴軸と直交する状態にして前記フィ−ドパン（６）始端がわの下側に配置し、処理胴室（３）の機体右側部を穀粒タンク（１１）がわに延出して、この延出部の上方に２番物揚上筒（２３）の上部を位置させて処理胴室（３）の延出部に連通し、２番揚上筒（２３）の下部は前記２番物樋（１７）に連通させてある。
【００１０】
また、フィ−ドパン（６）は第１フィ−ドパン（６ａ）と第２フィ−ドパン（６ｂ）とに分割されて第１フィ−ドパン（６ａ）を上段にし第２フィ−ドパン（６ｂ）を下段にして段違いにするとともに、第２フィ−ドパン（６ｂ）を第１フィ−ドパン（６ａ）の下方に入り込ませてラップさせ、第１フィ−ドパン（６ａ）の裏面と第２フィ−ドパン（６ｂ）の選別面とにより間隔（７）を形成して、第１フィ−ドパン（６ａ）の下側に処理胴室（３）が位置するようになり、第２フィ−ドパン（６ｂ）の下方には前記の唐箕ファン（１４）を位置させている。
【００１１】
そして、処理胴室（３）の機体左側部、即ちフィ−ドチエン（１６）がわには吐出口（２４）を開口し、その吐出口（２４）を前記空間（７）内にのぞませてこの空間（７）内を通して処理胴室（３）内の処理物を揺動選別体（２）上に放出するものにするとともに、前記唐箕ファン（１４）も処理胴（４）と同方向の（イ）の方向に回転させて幅広の吹出口（２５）から吹き出る選別風を矢印（ロ）のように分流する構成にしてある。
【００１２】
また、第１フィ−ドパン（６ａ）の選別面にはこの脱穀機（Ａ）が下扱き式であるために、扱室（１）から落下する扱卸物をこの選別面の左側に寄せて均すところのリ−ド板（２６）が複数斜設され、第２フィ−ドパン（６ｂ）の選別面には処理胴室（３）の吐出口（２４）から放出される処理物と第１フィ−ドパン（６ａ）の選別面から落下して受継がれるものとを右側に寄せることによって放出された処理物を含めてその選別面の幅方向に均一にする複数のリ−ド板（２７）が斜設されているのである。
【００１３】
この２番物の処理装置は以上のように構成してあるので、その作用について、「図３」と「図４」により記載すると、扱卸物のうち主として扱室（１）の始端がわから落下するものは第１フィ−ドパン（６ａ）上に落下しリ−ド板（２６）により矢印（ハ）のようにこの選別面の左側に寄せられ均されながら比重選別が行われて第２フィ−ドパン（６ｂ）上に落下して受継がれ、２番物樋（１７）に回収された２番物は２番物揚上筒（２３）によって処理胴室（３）右側部の始端部に投入されて処理胴室（３）内を（ニ）のように左側部の終端部に向けて送られながら処理作用を受け、その処理物は吐出口（２４）から空間（７）内を通って矢印（ホ）のように放出され、その放出されたものと前記第１フィ−ドパン（６ａ）の選別面から落下して受継がれたものは、第２フィ−ドパン（６ｂ）の選別面に斜設されたリ−ド板（２７）により矢印（ヘ）のように右側に寄せられこの選別面の幅方向に均一になりながら比重選別が引き続き行われてチャフシ−ブ（１９）とストロ−ラック（２０）およびグレンシ−ブ（２１）による篩選別と唐箕ファン（１４）の吹出口（２５）から吹出して矢印（ロ）の如く分流する選別風とによって選別されるのである。
【００１４】
【発明の効果】
本発明による２番物処理装置は以上説明したように、扱室（１）の下方に扱胴軸方向に揺動する揺動選別体（２）を装架して、扱室（１）からの扱卸物と処理胴室（３）により処理した２番物とを選別する下扱き方式の脱穀機において、処理胴室（３）をその処理胴（４）の軸（５）が扱胴軸と直交する状態にして揺動選別体（２）の始端部の下側に配置し、処理胴室（３）内の処理物を揺動選別体（２）のフィードパン（６）上に放出させ、扱室（１）から落下する扱卸物とともに前記フィードパン（６）に対し、連続状に配置したチャフシーブ（１９）に受継がせ揺動選別をする構成にしたのであるから、扱室（１）から落下する扱卸物は揺動選別体（２）によって選別され、その選別により２番物樋（１７）に回収された２番物は揺動選別体（２）の始端部の下側に配置した処理胴室（３）に投入されて処理作用を受けるので、機体幅を増大させることなくコンパクトなものになり、また、揺動選別体（２）の始端がわを構成するフィ−ドパン（６）を分割して段違いにし、その段違いにより形成された空間（７）内を通して前記処理胴室（３）内の処理物を放出する構成にすれば、処理胴室（３）から揺動選別体（２）上に放出される処理物は揺動選別体（２）の揺動方向に放出されて終端がわへの移動と分散均一を促進して構成を一層簡単にしながら選別能力が向上するものになる。
【図面の簡単な説明】
【図１】この発明装置要部の縦断側面図である。
【図２】同要部の横断平面図である。
【図３】側面から見た作用説明図である。
【図４】平面から見た作用説明図である。
【図５】コンバイン全体の概要側面図である。
【符号の説明】
１ 扱室
２ 揺動選別体
３ 処理胴室
４ 処理胴
５ 軸
６ フィ−ドパン
７ 空間
【図１】
0003585271.tif 000002
【図２】
0003585271.tif 000003
【図３】
0003585271.tif 000004
【図４】
0003585271.tif 000005
【図５】
0003585271.tif 000006